(57)【要約】【課題】  ディスクの挿入、抜去時に上記駆動軸と従動軸の間に挟まれているディスクが重力等により傾くのを防止する。【解決手段】  ディスク記録及び／又は再生装置は、ディスク１７１を駆動軸３０と従動軸３１の間に挟んでこれら駆動軸３０や従動軸３１を回転させることによってディスク１７１をディスク収容部３内のトレイ２上に挿入し、あるいはトレイ２上から抜去するようになっている。上記ディスク１７１の挿入、抜去時に上記駆動軸３０と従動軸３１の間に挟まれているディスク１７１が重力により傾くのを阻止するディスク保持部材１９１を上記駆動軸３０や従動軸３１に設けた。【選択図】  図１
2005196848.tif 000002
【特許請求の範囲】
【請求項１】
ディスクを駆動軸と従動軸の間に挟んでこれら駆動軸と従動軸を回転させることによって上記ディスクをディスク収容部内のトレイ上に挿入し、或いはトレイ上から抜去するディスク記録及び／又は再生装置において、
上記ディスクの挿入、抜去時に上記駆動軸と従動軸の間に挟まれているディスクが重力により傾くのを阻止するディスク保持部材を設けたことを特徴とするディスク記録及び／又は再生装置。
【請求項２】
請求項１において、
上記ディスク保持部材は、上記駆動軸または従動軸を支持する軸受に設けられていることを特徴とするディスク記録及び／又は再生装置。
【請求項３】
フロントパネルとディスク収容部の間に配置したシャッタの開口部を通して挿入されてきたディスクを駆動軸と従動軸の間に挟んでこれら駆動軸と従動軸を回転させることによって上記ディスクをディスク収容部内のトレイ上に挿入し、トレイ上から抜去するディスク記録及び／又は再生装置において、
上記ディスクの挿入、抜去時に上記駆動軸と従動軸の間に挟まれているディスクが重力により傾くのを阻止するディスク保持部材を上記シャッタに設けたことを特徴とするディスク記録及び／又は再生装置。
【請求項４】
請求項３において、
上記ディスク保持部材は、上記シャッタの開口部を折り曲げることにより形成されていることを特徴とするディスク記録及び／又は再生装置。
【発明の詳細な説明】
【技術分野】
【０００１】
本発明はディスク収容部内に複数枚のディスクを収容し、これらディスクの記録及び／又は再生を行なうディスク記録及び／又は再生装置に関する。
【背景技術】
【０００２】
音声を再生する目的で車両に搭載されるディスクの記録及び／又は再生装置としては、ディスクプレーヤがある。このディスクプレーヤは、複数枚のＣＤ（コンパクトディスク）等のディスク状記録媒体をマガジンに収納し、マガジン単位でまとめて複数枚のディスクを一度に交換する方式になっている。このため、大形化するので本体部分をトランク内に収容する一方、車室内には操作に必要な部分のみが設置されている。しかし、車両の走行中にディスクを交換すことはできず、停車してトランクを開けて行なうことが必要になり、面倒である。
【０００３】
このため、近年では車室内に収容する車載用のディスクプレーヤが開発されている。車載用のディスクプレーヤは複数枚のディスクを収容できるものが要求されており、車室内のインダッシュの定められた空間に収容される。従って、車載用のディスクプレーヤを小形化することが重要な課題となっている。
【０００４】
上記車載用のディスクプレーヤは、例えば図４１に示したように、１ＤＩＮサイズ等と呼ばれる一定の寸法の略直方体の形状の筐体（ケース）２０１内に例えば６枚のディスク２０２を個別に載せるディスク受板（以下、トレイという）２０３を６枚重ねてディスク収容部２０４を構成している。６枚のディスク２０２は筐体２０１の前面に昇降可能に取付けたシャッタ２０５の開口部２０６から個別に挿入されて、上記筐体２０１の前面に設けた駆動軸２０７と従動軸２０８の間に挟まれて上記ディスク収容部２０４内に挿入されて上記駆動軸２０７と従動軸２０８の背後に位置するトレイ２０３上に載置される。６枚のトレイ２０３を順次、上記駆動軸２０７と従動軸２０８の背後に位置させて６枚のトレイ２０３にそれぞれディスク２０２を載置する。
【０００５】
６枚のトレイ２０３はガイド支柱２０９を介して昇降自在に重ね合わされていて、再生する際には、選択されたディスク２０２が載った選択トレイ及びそれよりも上方のトレイを全て上昇させ、選択トレイの下に形成した空間に、ディスク２０２を装着して回転させるためのターンテーブル２１０及び光学ピックアップ２１１を挿入してディスク２０２の再生を行うようになっている。
【０００６】
上記シャッタ２０５は、ディスク２０２をディスク収容部２０４に挿入し、或いはディスク２０２をディスク収容部２０４から抜き出すとき（以下、ディスク挿抜時という）には上記開口部２０６が上記駆動軸２０７と従動軸２０８の前方に位置し、ディスク挿抜時以外のディスク２０２の再生時等においては、上記シャッタ２０５は、下降して上記開口部２０６が上記駆動軸２０７と従動軸２０８の前方からずれて、上記駆動軸２０７と従動軸２０８の前方を塞いでディスク２０２の挿抜を不可能にしてディスク２０２を保護するようになっている。（例えば、特許文献１）
【特許文献１】特開２００１−１０１７５５号公報
【発明の開示】
【発明が解決しようとする課題】
【０００７】
ところで、上記従来のディスクプレーヤは、図４２に示すように、ディスク２０２の挿入、抜去時に上記駆動軸２０７と従動軸２０８の間に挟まれているディスク２０２が重力により傾いて、所定のトレイ２０３上に円滑に挿入することができなくなり、またディスク２０２の端部が垂れ下がった状態になって視覚的にユーザー等に不安定感等を与えるという問題点があったために、これら問題点を解決することがこの種のディスクプレーヤの解決しなければならない課題とされていた。
【課題を解決するための手段】
【０００８】
請求項１の発明は、ディスクを駆動軸と従動軸の間に挟んでこれら駆動軸や従動軸を回転させることによって上記ディスクをディスク収容部内のトレイ上に挿入し、トレイ上から抜去するディスク記録及び／又は再生装置において、
上記ディスクの挿入、抜去時に上記駆動軸と従動軸の間に挟まれているディスクが重力により傾くのを阻止するディスク保持部材を設けた。
【０００９】
請求項２の発明は、請求項１のディスク記録及び／又は再生装置において、
上記ディスク保持部材を、上記駆動軸または従動軸を支持する軸受に設けた。
【００１０】
請求項３の発明は、フロントパネルとディスク収容部の間に配置したシャッタの開口部を通してディスクを駆動軸と従動軸の間に挟んでこれら駆動軸と従動軸を回転させることによって上記ディスクをディスク収容部内のトレイ上に挿入し、トレイ上から抜去するディスク記録及び／又は再生装置において、
上記ディスクの挿入、抜去時に上記駆動軸と従動軸の間に挟まれているディスクが重力により傾くのを阻止するディスク保持部材を上記シャッタに設けた。
【００１１】
請求項４の発明は、請求項３のディスク記録及び／又は再生装置において、
上記ディスク保持部を、上記シャッタの開口部を折り曲げることにより形成した。
【発明の効果】
【００１２】
請求項１の発明は、ディスクの挿入、抜去時に駆動軸と従動軸の間に挟まれているディスクが重力により傾くの上記ディスク保持部材で防止するので、ディスクを円滑に挿抜することができる。また、ディスクの端部が垂れ下がるのを防止するので視覚的にも安定感を与えることができる。特に、請求項３の発明のようなシャッタを有しておらず、従って、シャッタにディスク保持部材を設けることのできないディスク記録及び／又は再生装置において効果がある。
【００１３】
請求項２の発明は、ディスク保持部材を上記駆動軸または従動軸を支持する軸受に設けたので、ディスク保持部材と軸受を独立別個に形成する場合に比べて、部品点数の削減を図ることができる。軸受を組付ければディスク保持部材も自ずと組付けられた状態になるので組付工程の削減を図ることができる。また、従動軸とディスク保持部材の位置精度出しが容易になる。
【００１４】
請求項３の発明は、ディスク保持部材をシャッタに設けたので、駆動軸または従動軸を支持する軸受等にディスク保持部材を設けなくてもシャッタでディスクが傾くのを防止することができる。
【００１５】
請求項４の発明は、ディスク保持部材をシャッタと一体的に形成したので、ディスク保持部材とシャッタを独立別個に形成する場合に比べて、部品点数の削減を図ることができる。また、シャッタを組付ければディスク保持部材も自ずと組付けられた状態になるので組付工程の削減を図ることができる。
【発明を実施するための最良の形態】
【００１６】
以下、本発明のディスク記録及び／又は再生装置の実施の形態を説明する。この実施の形態は、音声を再生するディスクプレーヤに本発明を適用したものである。
【００１７】
先ず、本発明の要部であるディスク保持部材の構成について説明する。図１は本発明の要部であるディスク保持部材１９１の近傍の断面図である。シャッタ６４の開口部６４ａを介して挿入されたディスク１７１の先端は駆動軸３０と従動軸３１の間に挿入され、これら駆動軸３０と従動軸３１の回転によってディスク収容部３内に送り込まれて所定のトレイ２上に載置される。ディスク保持部材１９１は、ディスク１７１の挿入、抜去時に該ディスク１７１の下面を面で支えて上記駆動軸３０と従動軸３１の間に挟まれているディスク１７１が重力により傾くの阻止する。
上記ディスク保持部材１９１は、駆動軸３０を支持する樹脂製の軸受３３と一体的に形成されている。
【００１８】
図２に示すように、上記軸受３３は、駆動軸３０の中央部の小径部を回転自在に嵌合支持する断面略Ｃ形状の溝３３ａと、ケース１への取付部３３ｂとを備えている。上記取付部３３ｂは一対の脚部３３ｃ，３３ｄを備えていて、これら脚部３３ｃ，３３ｄの間でケース１側に設けた軸受取付部を挟着するなどしてケース１側に垂直に取付けられる。上記ディスク保持部材１９１は、上記取付部３３ｂの上端部に該取付部３３ｂに対して略直角に形成されている。
【００１９】
そして、図１に示すように、上記ディスク保持部材１９１は、挿入されてきたディスク１７１を水平状態に支持して、上記ディスク１７１を所定のトレイ２上にガイドする。
【００２０】
図３、図４は上記ディスク保持部材１９１の変形例を示す。この変形例において、ディスク保持部材１９１をシャッタ６４に設けた場合を示す。
【００２１】
上記ディスク保持部材１９１は、上記シャッタ６４の開口部６４ａの上下縁部を駆動軸３０及び従動軸３１側に向けて折り曲げ、或いは他部材を取付けることにより形成されている。そして、上記シャッタ６４の開口部６４ａから挿入されてきたディスク１７１を上記ディスク保持部材１９１で水平状態に支持して、上記ディスク１７１を所定のトレイ２上にガイドする。
【００２２】
図５は、上記ディスク保持部材１９１の他の変形例を示す。この変形例において、上記ディスク保持部材１９１は、上記シャッタ６４の開口部６４ａの上下縁部を駆動軸３０及び従動軸３１と反対側のフロントパネル（図示省略）側に向けて折り曲げ、或いは他部材を取付けることにより形成されていて、シャッタ６４の前方においてディスク１７１を水平状態に支持する構成になっている。
【００２３】
次にディスクプレーヤの全体の概略構成を説明し、後に各構成部分について説明する。
（Ａ）ディスクプレーヤの全体の概略構成
図６、図７等に示すようにディスクプレーヤは大きく分けて外観形状を形成するケース１と、ケース１内の前面側に配置されるとともにディスク（以下、ＣＤという）を収納するディスク収納部３と、ケース１の前面板１ａの挿脱口４に設けられるとともに、ディスク収納部３内へＣＤを挿入したり排出したりするための移送手段５と、移送手段５の前面側に設けられるとともに前面板１ａの挿脱口４を開閉する開閉手段６と、ケース１内の背面側に配置されるとともにディスク収納部３内のＣＤのうちのいずれか一枚を選択して再生する再生手段７と、ディスク収納部３の背面側の左右に設けられるとともに排出しようとするＣＤを移送手段５へ向かって押し出す押出手段８と、ケース１の左右の側板１ｂ，１ｃの外側に主として設けられるとともに、ディスク収納部３や再生手段７等を操作するための操作手段９とで構成される。
【００２４】
上記再生手段７は、ピックアップ昇降手段として昇降するピックアップ昇降台１０の両側に配置されるとともにディスク収納部３内の複数のＣＤのうちの選択されたＣＤの上下に空間を形成するための空間形成手段１１と、ピックアップ昇降台１０の上に回動自在に設けられた第一アーム（以下、下アーム）１３と第二アーム（以下、上アーム）１２とによって構成されるとともに上記空間に入り込んで選択されたＣＤを挟持する挟持手段１４と、上記下アーム１３に取り付けられるとともに挟持したＣＤを回転駆動するディスク駆動手段１５と、上記下アーム１３に設けられるとともに回転するＣＤから情報を読み取るピックアップユニット１６と、ＣＤを挿脱するための状態である挿脱モードとＣＤを再生するための状態である再生モードとのうちの再生モードのときにのみ上記移送手段５の駆動力を挟持手段１４へ伝えて回動させる回動力供給手段１７と、挟持手段１４がＣＤを挟持する時期を設定する規制手段１８とで構成されている。
（Ｂ）ケース、ディスク収納部及びトレイ
ケース１は前面板１ａと側板１ｂ，１ｃと天井板１ｄと底板１ｅとで構成され、背面は開放されている。そして、側板１ｂ，１ｃと底板１ｅとは一体化されている。
【００２５】
図８に示すように、ディスク収納部３はディスク載置手段としての本実施の形態では６枚のトレイ２と、これら６枚のトレイ２を載せたディスク昇降台２２とによって構成されており、ケース１内の前面側には支持手段として鉛直方向に沿う４本のガイド支柱２３の両端が底板１ｅ，天井板１ｄに結合して支持されている。
【００２６】
図９（ａ）に示したように、上記トレイ２の両側の表裏両面には樹脂材２ｉを貼着して形成されている。夫々の樹脂材２ｉの中間部と背面側には側方へ突出する一対のピン２ｊ，２ｋが形成されており、前面側のものは長く、背面側のものは短い。樹脂材２ｉの高さはＣＤの厚さと略同一の厚さに設定されており、樹脂材２ｉの上面には基板２ａとの間にＣＤを挟むためのバネ手段としての板バネ２ｍの前面側が固着されている。板バネ２ｍの背面側の内側にはＣＤを押える押え部２ｎが形成される一方、背面側の外側には後述する分割カム８２の下面によって下方へ押さえられる受け部２ｐと、後述する上段嵌入部８２ｊの下面によって上方へ向かう力を受ける受け部２ｑとが形成されている。夫々の樹脂材２ｉの前面側及び背面側には、上記ガイド支柱２３を挿通するためのガイド孔２ｒが樹脂材２ｉ及び基板２ａを貫通して形成されている。最上段のトレイ２における樹脂材２ｉの両端には、天井板１ｄと最上段のトレイ２との間に設ける付勢手段としてのコイルバネ２４を受けるための円筒形のバネ受け２ｓが一体的に形成され、図８（ｂ）に示すように、バネ受け２ｓの下端が内側へ少し突出して受け部２ｔが形成され、該受け部２ｔでコイルバネ２４の下端を受けるようになっている。これは、長いバネを用いることによって圧縮長さが大きくなっても圧縮に要する荷重があまり大きくならないようにするために設けられている。
【００２７】
一方、ディスク昇降台２２は、左右端を上方へ屈曲させた形状に形成されている。水平な部分には上記ガイド支柱２３を挿通するためのガイド孔２２ａが形成され、左右の鉛直な部分の外側にはディスク昇降台２２を昇降させるための一対のピン２２ｂが水平方向へ突出させて固着されている。これらの一対のピン２２ｂは、ケース１の側板１ｂ，１ｃに夫々形成された２本の鉛直スリット２５に挿通されてケース１の外へ突出している。
【００２８】
上記ディスク昇降台２２と６枚のトレイ２とが、これらのガイド孔２２ａ，２ｉにガイド支柱２３を挿通させることで昇降自在に支持されている。そして、ケース１の天井板１ｄ，底板１ｅには４本のバネガイド２６の上端，下端が固着され、夫々のバネガイド２６はバネ受け２ｓに挿通されている。そして、バネガイド２６を囲繞するようにして設けられた付勢手段としてのコイルバネ２４の下端がバネ受け２ｓの下端の上記受け部に当接している。
（Ｃ）移送手段
図７に示すように、移送手段５は、ケース１の前面板１ａに設けられている。前面板１ａには挿脱口４が形成されている。挿脱口４には駆動軸３０と従動軸３１とが回転自在に支持されている。駆動軸３０の両端は回転自在に前面板１ａに取り付けられている。従動軸３１の両端は前面板１ａの側面に鉛直方向へ長く形成された長孔３２に挿通されている。駆動軸３０，従動軸３１の中間部を支持するため、図１０、図１１に示すように下方への移動が拘束された樹脂軸受３３の背面側の溝３３ａに駆動軸３０の中間部の小径部が回転自在に嵌め込まれる一方、図示しない一対のガイド突起と一対のガイド溝とを介して昇降自在な樹脂軸受３４の背面側の溝３４ａに従動軸３１の中間部の小径部が回転自在に嵌め込まれている。従動軸３１には樹脂からなる一対のローラ３５が取り付けられ、駆動軸３０にはゴムからなる一対のローラ３６が取り付けられ、いずれも図示しない止め輪により軸心方向へのスライドが拘束されている。従動軸３１の両端には円周溝が形成され、前面板１ａの側面に固着されたバネ掛ピン３７と円周溝の部分とには、従動軸３１を駆動軸３０へ向かって付勢するためのバネ３８の両端が係合している。
【００２９】
上記駆動軸３０を駆動するための手段について説明する。図１１に示すように、駆動軸３０の右端には歯車３９が固着され、右側板１ｃの内側には歯車４０と、歯車４１と、相互に一体化した歯車４２，４３が回転自在に支持されている。底板１ｅの上には歯車４３に噛み合うウォーム４４と歯車４５とが一体となって回転自在に支持され、底板１ｅに取り付けた移送用モータ４６の出力軸に固着したウォーム４７が歯車４５と噛み合っている。
【００３０】
ローラ３５，３６によるＣＤの挿入が完了したのちに更に数ミリメートルだけＣＤを押し込む操作が自動的に行なわれるようにするため、図１０に示すように押込手段４８が設けられている。図７に示すように、前面板１ａにおける挿脱口４の上下には三対の長孔状のガイド孔４９，５０，５１が水平方向に沿って形成されている。前面板１ａの背面側の左右には一対のスライド台５２が設けられ、スライド台５２に固着された３本のガイドピン５３，５４，５５が上記ガイド孔４９，５０，５１に抜取不可能に挿通されている。夫々のスライド台５２における背面側には鉛直軸５６を介して樹脂製の縦ローラ５７が回転自在に支持されている。一対のスライド台５２を相互に接近する方向へ付勢するため、前面板１ａに形成されたバネ掛部５８とスライド台５２に形成されたバネ掛部５９との間には押込バネ６０が設けられている。
【００３１】
縦ローラ５７が配置された高さ位置のＣＤは縦ローラ５７によって水平方向の位置決めがなされるが、縦ローラ５７よりも下方及び上方のＣＤの位置決めは図１０のように底板１ｅに立設された位置決めロッド６１，６２と天井板１ｄに垂下するように取り付けられた図示しない一対の位置決めロッド（位置決めロッド６１，６２の延長線上に配置され、位置決めロッド６１，６２との間には挿脱されるＣＤの通る空間が形成されている）により行われている。
（Ｄ）開閉手段
前面板１ａの挿脱口４を開閉する開閉手段６について説明する。図７に示すように前面板１ａの前面側にはシャッタ６４が昇降自在に設けられている。シャッタ６４にはＣＤを通過させるための開口部６４ａが形成され、シャッタ６４が上昇すると開口部６４ａの中間高さ位置がローラ３５，３６の境界位置を占めて「開」になる一方、シャッタ６４が下降すると「閉」になる。
【００３２】
即ち、前面板１ａの左右には上下で一対のガイドピン６５が立設される一方、シャッタ６４には鉛直方向へ長い一対のガイド孔６４ｂが形成され、ガイド孔６４ｂに挿通されたガイドピン６５の先端には止め輪が嵌合されている。シャッタ６４が上昇して「開」になったときにのみ一対のスライド台５２の間隔が大きくなり得るようにするため、中央近傍の一対の上記ガイドピン５４が他のガイドピン５３，５５よりも長く設定され、ガイドピン５４を挿通するためのＬ字形のガイド孔６４ｃがシャッタ６４に形成されている。このガイド孔６４ｃの上面には、何らかの理由で一対の縦ローラ５７どうしの間隔を押し広げてＣＤが無理に排出されたときにはシャッタ６４が強制的に上昇させられて「開」になるようにするため、ガイドレール部６４ｄが形成されている。
【００３３】
次に、シャッタ６４を開閉するためのリンク機構について説明する。断面形状が略Ｌ字形の左右スライド板６６の前面及び下面に左右方向へ長いガイド孔６６ａが形成される一方、当該ガイド孔６６ａへ挿通されたガイドピン６７が前面板１ａ，底板１ｅに固着されている。シャッタ６４の両側の下部にはカム孔６４ｅが形成される一方、左右スライド板６６の前面側の両端にはスライドピン６６ｂが固着され、スライドピン６６ｂがカム孔６４ｅに挿通されている。左右スライド板６６の下面と底面１ｅの下面とには図２２（ｂ）に示すように下方へ突出するバネ掛部６６ｃ，６８が形成され、両者間には復帰バネ６９が掛けられている。底板１ｅの左下面には前後方向へスライド自在に前後スライド板７０が設けられている。即ち、前後スライド板７０に一対のガイド孔７０ａが形成される一方、ガイド孔７０ａに挿通した図示しない頭付ピンが底板１ｅに固着されている。略Ｌ字形のレバー７２の屈曲部が図１０のように固定軸７３を介して回動自在に底板１ｅの下面に取り付けられ、レバー７２の先端には長孔７２ａ，７２ａが夫々形成されている。そして、図７に示すように左右スライド板６６，前後スライド板７０に固着されたピン６６ｄ，７０ｂが長孔７２ａ，７２ａに遊嵌されている。前後スライド板７０には後述する外スライダ１４０によって押圧される被押圧部７０ｃが形成されている。
（Ｅ）再生手段
再生手段７は、ディスクプレーヤの奥行寸法をできるだけ小さくするため、ディスク収納部３の背後に接近して配置されている。再生手段７における挟持手段１４は図７に示すようにピックアップ昇降台１０の上に搭載されているので、最初にピックアップ昇降台１０について説明する。
【００３４】
ピックアップ昇降台１０は水平板とその両側の鉛直板とを一体に形成したものであり、水平板の前面側にはＣＤがはい入り込むように円弧状の切欠部１０ａが形成されている。夫々の鉛直板にはピックアップ昇降台１０を昇降させるための一対のピン７７が水平方向へ突出させて固着されている。一対のピン７７は同一高さに配置され、上記ディスク昇降台２２の一対のピン２２ｂよりも短くなっている。これらのピン７７は、ケース１の側板１ｂ，１ｃに形成された一対の鉛直スリット７８に挿通されてケース１の外へ突出している。
【００３５】
空間形成手段（制御手段）
図７示すように、ピックアップ昇降台１０における両側の鉛直板の内側には、上下方向へ重なり合うトレイ２の間へ挿入して選択されたＣＤの上下に空間を形成する空間形成手段（制御手段）１１として、樹脂からなる分割カム８２が前後方向へスライド自在に設けられている。即ち、ピックアップ昇降台１０における鉛直板の前面側上部にガイド孔１０ａが形成されるとともにガイド孔１０ａに挿通された頭付ガイドピン８２ａが分割カム８２に固着される一方、図８（ａ）に示すように分割カム８２の下部にガイド孔８２ｂが形成されるとともにガイド孔８２ｂに挿通された図７の頭付ガイドピン１０ｂが鉛直板の前後方向での中間位置に固着されている。
【００３６】
分割カム８２は上記トレイ２へ向かって挿入し、トレイ２における両側の４本のピン２ｊ，２ｋを押し上げることによってトレイ２を安定して支持しかつ再生するＣＤが載ったトレイ２の上下に空間を形成するものである。分割カム８２は、前後方向の長さの異なる２枚の板にスリットを形成して貼り合せたような形状になっており、分割カム８２をトレイ２の両側へ滑り込ませることにより、前面側はトレイ２の一対の長いピン２ｊを上動させ、背面側は一対の短いピン２ｋを上動させるように構成されている。
【００３７】
即ち、以下のように構成されている。選択されたＣＤを載せる選択トレイ２及びこれより上方のトレイ２を上動させるために一対の第一分離制御部８２ｃ1，８２ｃ1が形成され、夫々の第一分離制御部８２ｃ1の上方には選択トレイ２よりも上方のトレイ２だけを上動させるための第二分離制御部８２ｃ2，８２ｃ2が形成されている。そして、第一分離制御部８２ｃ1と第二分離制御部８２ｃ2との間には選択トレイ２のみを保持する第三分離制御部８２ｄ，８２ｄが夫々形成されている。選択トレイ２よりも上方のトレイ２のピン２ｊ，２ｋの位置を保持する上面８２ｆと、選択トレイ２よりも下方のトレイ２のピン２ｊ，２ｋの位置を保持しかつ板バネ２ｍの受け部２ｐを押さえ込む位置制御手段としての下面８２ｈとが分割カム８２の移動方向に沿って形成されている。
【００３８】
選択トレイ２及び選択トレイ２より上のトレイ２のピン２ｊ，２ｋは第一，第二分離制御部８２ｃ1，８２ｃ2の前進によって押し上げられるため、本来は例えばθ＝４５゜等の一定の値に設定される。しかし、ここではコイルバネ２４を圧縮しながらトレイ２が上昇することになり、トレイ２の位置が高くなるほどコイルバネ２４の圧縮量が大きくなってトレイ２を押し上げる際に加わる負荷が大きくなる。換言すればコイルバネ２４の圧縮の初期の段階では負荷が小さい。このため、図２６（ａ）に示すように第一，第二分離制御部８２ｃ1，８２ｃ2の上部は例えばθ1＝４５゜とする一方、下部は例えばθ2＝６０゜とし、両者の中間部は弧状の面により形成されている。
【００３９】
次に第三分離制御部８２ｄ，８２ｄについて説明する。第三分離制御部８２ｄ，８２ｄは、上段嵌入部８２ｊ，８２ｊと、中段嵌入部８２ｋ，８２ｋと、下段嵌入部８２ｍ，８２ｍとで構成されている。上段嵌入部８２ｊ，８２ｊは選択トレイ２の上下に空間を形成するためのものであり、中段嵌入部８２ｋ，８２ｋは選択トレイ２及び選択ＣＤを共に降下させて下アーム１３のターンテーブル９７上に選択ＣＤを載せるためのものであり、下段嵌入部８２ｍ，８２ｍは選択トレイ２のみを再び降下させて選択トレイ２を選択ＣＤから離すためのものである。
【００４０】
挟持手段
空間形成手段１１により形成された選択ＣＤの上下の空間へ向かって回動させて選択ＣＤを挟持する挟持手段１４について説明する。ピックアップ昇降台１０の左側には下アーム１３と上アーム１２との基端部が回動自在に取り付けられている。即ち、以下のようになっている。図１３に示すように下アーム１３には中空軸８６の下端近傍が固着され、この中空軸８６の下端がピックアップ昇降台１０を回動自在に貫通し、抜け止めのために中空軸８６の下端には平座金９３と止め輪９４とが取り付けられている。そして、上アーム１２の基端部には銅合金からなるスリーブ８７が貫通して固着され、スリーブ８７に中空軸８６が挿通されることにより下アーム１３に対して上アーム１２が平行な状態で、降下して選択ＣＤが挟持されるようになっている。中空軸８６の上端には平座金８８が挿通されるとともに止め輪が取り付けられており、平座金８８とスリーブ８７との間には上アーム１２を下方へ付勢する挟持バネ８９が設けられている。また、中空軸８６まわりに下アーム１３と上アーム１２とが相対的に回動することなく同期して一体的に回動するように、図１２に示すように下アーム１３に立設した摺動ピン９０が上アーム１２に形成した孔９１に摺動自在に挿通されている。挟持手段１４が回動したときに下アーム１３上の後述するディスク回転手段としてのターンテーブル９７とＣＤとの位置決めの精度を上げるため、ピックアップ昇降台１０上の中空軸８６の中には底板１ｅに立設した支柱９２が挿通されている。
【００４１】
ディスク駆動手段
下アーム１３の先端上面にはディスク駆動手段１５が設けられている。即ち、図１２に示すようにスピンドルモータ９６が取り付けられ、スピンドルモータ９６の出力軸にはＣＤの中央の孔へ嵌まり込むターンテーブル９７が取り付けられている。一方、上アーム１２の先端近傍には図３９に示すように支持板９８の一端が固着され、他端には円形の孔が形成されている。そして、樹脂によって形成されるとともに円板の下面に円に沿って畝状の凸部を形成したディスク保持手段としてのチャックプレート９９が上方から孔に回転自在に嵌め込まれている。このチャックプレート９９は、上アーム１２の下面に一端が固着された図示しないバネ板の他端により抜け止めされている。
【００４２】
ピックアップユニット
下アーム１３の上面には、図１４のようにピックアップユニット１６も搭載されている。ピックアップユニット１６の構成を以下に説明する。下アーム１３と一体に形成されたガイドレール１６１を介して光ピックアップ１６２が下アーム１３の長さ方向に沿って移動自在に設けられている。そして、光ピックアップ１６２をガイドレール１６１に沿って往復移動させるための手段が設けられている。下アーム１３の上面には一対の軸受部材１６３を介してねじ軸１６４が回動自在に支持され、光ピックアップ１６２の図示しないめねじ部がねじ軸１６４に螺合している。このねじ軸１６４には上記スリーブ８７の近傍に固定した走査用モータ１６５の出力軸が連動連結されている。即ち、ウォームホイール１６６とねじ歯車１６７とを一体化した歯車１６８が回転自在に支持され、出力軸のウォーム１６９がウォームホイール１６６に噛み合う一方、ねじ軸１６４に取り付けられたねじ歯車１７０がねじ歯車１６７に噛み合っている。
【００４３】
回動力供給手段
上記移送用モータ４６の駆動力で挟持手段１４を回動させるための回動力供給手段１７の構成を以下に説明する。ケース１の左の側板１ｂの内側には図１１のように歯車列１０３が設けられている。即ち、歯車列１０３は、歯車１０３ａ〜１０３ｈによって構成されている。一方、上記駆動軸３０の左端にも歯車１０４が固着されている。左の側板１ｂの内側には、鉛直方向へ移動自在にプレート１０５が設けられている。即ち、プレート１０５の上部には鉛直方向へ長いガイド孔１０５ａが形成され、ガイド孔１０５ａに挿通されたガイドピン１０６（図３３参照）が左の側板１ｂに固着されてガイドピン１０６には止め輪が取り付けられている。プレート１０５の下部とケース１の底板１ｅとにはバネ掛け部１０５ｂ，１０７が形成され、プレート１０５を下方へ付勢する復帰バネ１０８が両者間に設けられている。プレート１０５には上記歯車１０３ｈの軸１０９（側板１ｂに固着されている）を挿通する逃げ孔１０５ｃが形成されており、軸１０９にはレバー１１０の基端部が回動自在に取り付けられている。このレバー１１０の先端にはレバー１１０を貫通する移動軸１１１が固着され、移動軸１１１には歯車１０３ｈと噛み合う歯車１１２が回転自在に取り付けられている。プレート１０５における逃げ孔１０５ｃの上方にはカム孔１０５ｄが形成され、移動軸１１１の貫通端部がカム孔１０５ｄに挿通されている。つまりプレート１０５を上動させると、カム孔１０５ｄが上動し、カム孔１０５ｄに挿通されている移動軸１１１は前面側へ移動することから、移動軸１１１に取り付けられた歯車１１２が、駆動軸３０の歯車１０４とも噛み合うことになる。このプレート１０５を上動させるため、レバー１１３の中間部がピン１１４を介して左の側板１ｂの内側に回動自在に支持され、レバー１１３の一端がピン１１５を介して回動自在にプレート１０５の下部に結合されている。レバー１１３の他端はディスク昇降台２２のピン２２ｂが挿通される左の側板１ｂの一対のガイド孔２５の前面側のものの下部に臨んでいる。つまり、ディスク昇降台２２が最下位置にきて再生モードになると、ピン２２ｂがレバー１１３の他端を下方へ押して歯車１１２が歯車１０４と噛み合う。
【００４４】
次に、歯車列１０３の最上部の歯車１０３ａと挟持手段１４の下アーム１３とが以下のようにして連動連結されている。図７に示すように前後方向へ長い鉛直部と鉛直部の背面側に一体に形成された水平部とからなるスライドバー１１６が設けられている。スライドバー１１６における鉛直部の両端近傍には一対のガイド孔１１６ａが形成され、図１０のように一対のガイド孔１１６ａに挿通された一対のガイドピン１１７が左の側板１ｂの内側に固着されるとともに止め輪が取り付けられている。このようにして前後方向へスライド自在なスライドバー１１６における前面側の下部には図１１のようにラック１１６ｂが形成されて上記歯車１０３ａと噛み合う一方、背面側の水平部の先端には下方へ突出する係合ピン１１６ｃの上端が固着されている。この係合ピン１１６ｃは、図１２のように上記下アーム１３の基端部に一体に形成されるとともに上アーム１２の高さまで延長した水平部の長孔１３ａに遊嵌されている。この長孔１３ａは図１４のようにスリーブ８７の軸心を通りかつスリーブ８７と直角な半径方向の直線に沿って長く形成されている。
【００４５】
ディスクプレーヤには、ディスク収納部３内にＣＤを挿入したり排出したりする挿脱モードの状態と、ＣＤを再生する再生モードの状態との２つの操作状態があり、前者の場合は挟持手段１４は図３５のようにＢ位置を占め、後者の場合は図３６のようにＡ位置を占める。Ｂ位置とＡ位置との間での挟持手段１４の回動は上記のように回動力供給手段１７を介して行なわれる。しかし、選択ＣＤと下アーム１３上のターンテーブル９７との位置決めを高精度に行なう必要があるので、図１５の位置決め手段１１８が設けられている。
【００４６】
位置決め手段１１８の構造を以下に説明する。図１４，１５に示すように下アーム１３における中空軸８６の近傍には、下方へ向かって突出する位置決めピン１１９の上端が固着されている。一方、挟持手段１４が回動するときに位置決めピン１１９が移動する範囲と対応する部分のピックアップ昇降台１０には円弧孔１０ｃが形成され、円弧孔１０ｃに位置決めピン１１９が遊嵌されている。ピックアップ昇降台１０には下方へ突出してバネ掛け部１０ｄが形成され、バネ掛け部１０ｄと位置決めピン１１９との間にはトグルバネ１２０の両端が掛けられている。挟持手段１４がＢ，Ａ位置を占めるときに位置決めピン１１９が占める位置をｂ，ａ位置とすると、ｂ，ａの中間点であるｃ位置が位置決めピン１１９の運動の方向が変わる変曲点であり、ｃ位置と対応する位置に上記バネ掛け部１０ｄが配置されている。
規制手段
上記挟持手段１４の上アーム１２は上記挟持バネ８９により下方へ付勢されており、図１２のようにこの挟持バネ８９の付勢力で上アームが降下する時期を設定するための規制手段１８が設けられている。即ち、以下のように構成されている。
【００４７】
ピックアップ昇降台１０の上面であって上記挟持手段１４と分離カム８２との間には円筒板１２４が立設されている。この円筒板１２４はスリーブ８７を中心とする円筒の一部である部分円筒を形成しており、図３７，図３８のように円筒板１２４には周方向に長い水平部１２５ａと軸方向に長い鉛直部１２５ｂとからなるＬ字形のガイド孔１２５が形成されている。一方、上アーム１２の基端部にはスリーブ８７を中心とする半径方向の外側へ向かって突出するガイドピン１２ａが固着され、ガイドピン１２ａはガイド孔１２５に挿入されている。このため、図１２において挟持手段１４が待機位置のＢ位置を占めるときと、Ｂ位置から再生位置のＡ位置を占める直前まではガイドピン１２ａがガイド孔１２５の水平部１２５ａに位置するため、挟持バネ８９の付勢力が加わっていても上アーム１２は降下することなく挟持手段１４は開の状態を維持する一方、挟持手段１４がＡ位置にくると、ガイドピン１２ａが鉛直部１２５ｂに位置するため、挟持バネ８９の付勢力で上アーム１２が降下してガイドピン１２ａも鉛直部１２５ｂの下端まで下がることになる。
【００４８】
挟持手段１４が図１２のＡ位置まで回動してガイドピン１２ａがガイド孔１２５の鉛直部１２５ｂまで回動してきても直ちに挟持手段１４が挟持動作をせずに、指令を与えて初めて挟持動作するようにするため、ガイドピン１２ａの下動を一時的に規制する第一規制手段と、規制後に上記分離カム８２が前進し、選択ＣＤ及び選択トレイ２が降下して上記ターンテーブル９７の上に載ったときに規制を解除して選択ＣＤを挟持させる第二規制手段が設けられている。即ち、以下のように構成されている。上記ピックアップ昇降台１０の上面であって上記円筒板１２４と上記分離カム８２との間には図１２，図３５に示すように軸受板１２６が分離カム８２と平行に立設されている。軸受板１２６の内側には図１２に示すように回動軸１２９を介して回動自在に拘束レバー１２７の中間部が支持され、拘束レバー１２７の前面側には外側へ向かって突出するピン１２７ａが固着され、背面側は内側へ向かって曲げられてガイド孔１２５の鉛直部１２５ｂに臨んでいる。そして、図３５に示すようにこの拘束レバー１２７の背面側を下方へ向かって付勢するバネ１２８が設けられている。一方、拘束レバー１２７の前面側のピン１２７ａは図３７のように分離カム８２の内側下部に形成されたカム溝８２ｒに遊嵌されている。このカム溝８２ｒにおける背面側の上部には逃げ部が形成されており、分離カム８２が前面側へ移動して選択トレイ２のピン２ｊ，２ｋが中段嵌入部８２ｋ，８２ｋにはいるとピン１２７ａがカム溝８２ｒの逃げ部に逃げ得る状態となって拘束レバー１２７がバネ１２８により回動し、挟持バネ８９の付勢力により上アーム１２が降下するように設定されている。
（Ｆ）押出手段
押出手段８はケース１の内部の左右に設けられている。これらは略同一の構成なので一方についてのみ説明する。図２４に示すように、回動することによってＣＤを押し出すための押出レバー１３２が、ケース１の天井板１ｄから下方へ突出する固定軸１３３に回動自在に取り付けられている。押出レバー１３２の高さは上記ローラ３５，３６の間の高さと同一に設定されている。そして、固定軸１３３を囲繞するようにして設けられた復帰バネ１３４の両端が、押出レバー１３２に形成されたバネ掛け部１３２ａと天井板１ｄに形成されたバネ掛け部とに掛けられている。一方、今までに述べた分離カム８２の前面側へ移動することによる空間形成の作用とは反対の方向である背面側へ移動することで押出レバー１３２が回動するように構成されている。即ち、以下のようになっている。図１２に示すように上記軸受板１２６の外側には前後方向へ一定量だけスライド自在にプレート１３５が設けられている。つまり、軸受板１２６に一対のガイド孔１２６ａが形成される一方、夫々のガイド孔１２６ａに挿通したガイドピン１３５ａがプレート１３５に固着されている。プレート１３５の前面側端は内側へ折り曲げられて押出レバー１３２と一体の被押圧部１３２ｂと係合しうるようになっており、背面側端は外側へ折り曲げられて分離カム８２の背後へ向かって突出している。
（Ｇ）操作手段
最後に、操作手段９について説明する。この操作手段９は、挿脱モードのときにはディスク昇降台２２を昇降させて各段のトレイ２上のＣＤの挿脱を可能にし、更には上記開閉手段６を開いたり押出手段８を動作させたりし、再生モードのときにはディスク昇降台２２を最下位置に保持した状態でピックアップ昇降台１０を昇降させて選択されたＣＤを選択し、更には空間形成手段１１を動作させかつ規制手段１８を動作させる。
【００４９】
図７，図１６に示すようにケース１の左右の側板１ｂ，１ｃの外側には、前後方向へスライド自在に内スライダ１３９と外スライダ１４０とが設けられている。左右対称なので、一方について説明する。内，外スライダ１３９，１４０の上下にガイド孔１３９ａ，１４０ａが形成され、側板に固着したガイドピン１５８，１５９がガイド孔１３９ａとガイド孔１４０ａとの双方に挿通され、ガイドピン１５８，１５９には止め輪が取り付けられている。内スライダ１３９の背面側には、鉛直スリット７８から突出するピックアップ昇降台１０の一対のピン７７を６段階に昇降させるための一対の階段スリット１４１が形成されている。内スライダ１３９の前面側には、鉛直スリット２５から突出するディスク昇降台２２の一対のピン２２ｂを６段階に昇降させるための一対の階段スリット１４２が形成されるとともに夫々の階段スリット１４２の下には再生モードのときにディスク昇降台２２を最下位置に保持してピックアップ昇降台１０のみを昇降させるための床面スリット１４３が連続して形成されている。一方、外スライダ１４０には長いピンであるディスク昇降台２２の一対のピン２２ｂが入り込むスリットのみが形成されている。即ち、一対のピン２２ｂを階段スリット１４２内に入れて上下動させるための四角形状の一対の挿脱モード用スリット１４４と、床面スリット１４３内に入れて最下位置に保持するための水平線状の一対の再生モード用スリット１４５と、外スライダ１４０をいずれかの方向へスライドさせることによりテーパ面１４６ａ，１４６ｂによりピン２２ｂを上動又は下動させて一対の階段スリット１４２と床面スリット１４３との間で一対のピン２２ｂの位置を入れ替えるための４５゜に傾斜した切換用スリット１４６とが連通して形成されている。再生モード用スリット１４５どうしの上下方向の位置を同一にすると、スリットどうしが重なって連通してしまうことから、再生モード用スリット１４５，挿脱モード用スリット１４４，床面スリット１４３，階段スリット１４２と、これらに挿入するピン２２ｂの高さが相互に異なっている。
【００５０】
外スライダ１４０の背面側の上部は内側へ向かって直角に曲げられ、突出部１４０ｂが形成されている。外スライダ１４０と共にこの突出部１４０ｂが移動できるように、内スライダ１３９及び側板１ｂの背面側には逃げ切欠１３９ｂ，逃げスリット１４７が形成されている。ピックアップ昇降台１０と共に昇降する分離カム８２の高さ位置に拘らず分離カム８２が外スライダ１４０と一体にスライドさせられるようにするため、図７のように分離カム８２の背面側の外側の面には鉛直方向沿って係合溝８２ｓが形成され、当該係合溝８２ｓに突出部１４０ｂがスライド自在に嵌め込まれている。また、左側の外スライダ１４０における前面側にはケース１の底板１ｅの下へ向かって折り曲げて係合部１４０ｃが形成されている。この係合部１４０ｃは、外スライダ１４０が背面側へスライドする際に上記被押圧部７０ｃを背面側へ押圧し、復帰バネ６９の付勢力に拘してシャッタ６４を開くようになっている。
【００５１】
次に、上記内スライダ１３９，外スライダ１４０の右側のものと左側のものとを同期して同時にスライドさせるための駆動機構について説明する。図７，図１１に示すようにケース１の底板１ｅの下であって背面側には二対の軸受を介して２本の連結軸１４８，１４９が回転自在に支持されている。夫々の連結軸１４８，１４９の両端にはピニオン１５０，１５１が固着され、これらのピニオン１５０，１５１は内スライダ１３９，外スライダ１４０の背面側の下部に形成されたラック１３９ｃ，１４０ｄと噛み合っている。連結軸１４８，１４９には歯車１５２，１５３が固着されており、この歯車１５２，１５３には操作用モータ１５４，１５５が個別に連動連結されている。即ち、以下のようになっている。ケース１内の背面側の右側に配置されている上記軸受板１２６の内側の上下位置に操作用モータ１５５，１５４が取り付けられ、これらのモータ１５５，１５４の出力軸が軸受板１２６の内側に設けた２組の減速手段１５６，１５７を介して歯車１５２，１５３に連動連結されている。
【００５２】
次に、斯かるディスクプレーヤの作用を説明する。
【００５３】
（Ｈ）作用の全体構成
ディスクプレーヤの作用は、ディスク収納部３へのＣＤの挿入とディスク収納部３からのＣＤの排出と、ディスク収納部３にストックされた複数のＣＤのうちの一枚を選択して再生するＣＤの再生との３つの作用によって構成される。
【００５４】
（Ｉ）ＣＤの挿入
ＣＤをディスク収納部３へ挿入する場合は、トレイ２に付されている番号（上から下へ向かって１〜６の番号が付されている）を選択して図示しない番号ボタンの例えば「２」のボタンを押したのちに図示しない挿入ボタンを押す。操作用モータ１５４の出力軸の回転が減速手段１５６，連結軸１４８に伝わり一対の内スライダ１３９がスライドする動きと、操作用モータ１５５の出力軸の回転が減速手段１５７，連結軸１４９に伝わり一対の外スライダ１４０がスライドする動きとが別個独立に行われる。外スライダ１４０の一対の挿脱モード用スリット１４４内に一対のピン２２ｂが入り込んで、例えば図１７のように一対のピン２２ｂが挿脱モードにおけるモード切換位置にあるときにボタンが押されると、内スライダ１３９が後退することにより図１８（ａ）に示すように一対のピン２２ｂが階段スリット１４２の下から２番目まで上昇してそれと共にディスク昇降台２２も上昇して上から２番目のトレイ２上のＣＤが押出レバー１３２の高さに設定される。なお、このとき、ピックアップ昇降台１０も同時に上昇するが、これは不要な動きとなる。内スライダ１３９を更に後退させれば、ピン２２ｂと共にピックアップ昇降台１０が上昇し、順次に３〜６番目のトレイ２が押出レバー１３２の高さになる。
【００５５】
次に、図１８（ａ）の待機位置から挿脱モード用スリット１４４の前後方向での中間位置にピン２２ｂが来るまで外スライダ１４０が後退すると、外スライダ１４０の係合部１４０ｃが底板１ｅの下で図７に示す被押圧部７０ｃを背面側へ押圧するため、前後スライド板７０の動きがレバー７２を介して左右スライド板６６へ伝わり、復帰バネ６９の付勢力に抗して左右スライド板６６が左方へ移動し、シャッタ６４が上昇して図２２（ｂ）のように挿脱口４が開放される。
【００５６】
以上の動作によりシャッタ６４が開き、上記のように既に上から２番目のトレイ２が押出レバー１３２と同一高さになっているので、図２２（ａ）のように上下のローラ３５，３６の間へＣＤ１７１を挿入しようとすると、シャッタ６４の手前中央に配置した図示しないセンサがＣＤ１７１を検出し、移送用モータ４６が回転を始める。移送用モータ４６の回転力が歯車を介してローラ３６に伝わるため、図２３のようにバネ３８によりローラ３６へ付勢されるローラ３５との間にＣＤ１７１が噛み込まれ、ローラ３５，３６の回転によってＣＤは上から２番目のトレイ２の上に挿入されるが、ＣＤ１７１がローラ３５，３６から離れた状態までしか挿入されないので、残りの数ｍｍは押込バネ６０によって中央方向へ付勢される一対の縦ローラ５７により押し込まれる。ＣＤ１７１はトレイ２上では一対の板バネ２ｍの押さえ部２ｎによりトレイ２上に保持される。ＣＤ１７１がローラ３５，３６から離れると、図示しないリミットスイッチが動作して移送用モータ４６の回転が止まると同時に外スライダ１４０が前進して図１８（ａ）の待機位置へ戻るため、背後側へ向かって押圧されていた被押圧部７０ｃが開放され、復帰バネ６９の作用でシャッタ６４が閉じる。
【００５７】
一対のピン２２ｂが階段スリット１４２の他の高さ位置（下から１，３〜６番目）を占める場合も上記と同じ動作でＣＤを挿入できる。
【００５８】
（Ｊ）ＣＤの排出
ＣＤをディスク収納部２から排出する場合は例えば「２」の番号ボタンと排出ボタンとを押す。すると挿入時と同様に例えば図１７の挿脱モードの切換位置から図１８（ａ）の待機位置へピン２２ｂが移動し、上から２番目のトレイ２上のＣＤが押出レバー１３２の高さに設定される。そして上記と同様に図１８（ｂ）の位置にピン２２ｂが来るまで外スライダ１４０が後退するとシャッタ６４が開く。ここまでの動作はＣＤの挿入時と全く同じである。
【００５９】
次に、図１９に示すように挿入モード用スリット１４４の前面側にピン２２ｂが来るまで外スライダ１４０が更に後退すると、図２４に示すように外スライダ１４０の背後側の突出部１４０ｂを介して外スライダ１４０と連動する分離カム８２が後退し、分離カム８２の背面がプレート１３５の背後側を押して後退させる。すると、プレート１３５の前面側が押出レバー１３２の被押圧部１３２ｂを背面側へ押し、押出レバー１３２が回動して上から２番目のＣＤ１７１の両側を押し出す。排出ボタンを押すと同時に移送用モータ４６が回転してローラ３５，３６は既に回転しているので、押し出されたＣＤ１７１が図２５のようにローラ３５，３６間に挟まれて排出される。排出によりＣＤ１７１が落下するのを防止するため、ＣＤ１７１の背面側の一部がローラ３５，３６に挟まれているときに図示しないリミットスイッチがこれを検出し、移送用モータ４６の回転が停止する。このあとは手動でＣＤ１７１を一対のローラ３５，３６間から抜き取ることになる。ＣＤ１７１が抜き取られたことを図示しないセンサが検出すると、外スライダ１４０が前進し、ピン２２ｂが図１９の位置から図１８（ａ）の待機位置へ戻る。
【００６０】
すると、分離カム８２からプレート１３５へ加わっていた背面側への力が除去されるため、押出レバー１３２は復帰バネ１３４の付勢力により回動して図２４（ａ）に実線で示す元の位置へ復帰し、続いてＣＤの挿入後と同様にシャッタ６４が閉じる。
【００６１】
一対のピン２２ｂが階段スリット１４２の他の高さ位置（下から１，３〜６番目）を占める場合も上記と同じ動作でＣＤを排出できる。
【００６２】
（Ｋ）ＣＤの再生
ＣＤの再生を行うには、選択されたＣＤの番号を付した番号ボタンの例えば「２」のボタンと再生ボタンとを押す。すると、上記の図１８（ａ）の状態から内スライダ１３９が前進することにより図１７のようにピン２２ｂが挿脱モード用スリット１４４の最下位置まで降下してモード切換位置に来た後、外スライダ１４０が前進する。すると、切換スリット１４６の上テーパ面１４６ｂ（図１６（ｃ）参照）が押圧されることによってピン２２ｂが降下して内スライダ１３９の床面スリット１４３へ移動すると同時に、このピン２２ｂは外スライダ１４０の再生モード用スリット１４５内へ移動して図２０（ａ）のように再生モードに切り換わる。この切り換え時には、ピックアップ昇降台１０の一対のピン７７は階段スリット１４１の最下位置に止まったままである。このときのピン２２ｂの位置は、再生モードにおける挿脱モードへの切換位置であり、この状態から外スライダ１４０を後退させると切換スリット１４６の下テーパ面１４６ａが押圧されることによってピン２２ｂが上昇して図１７のように上記の挿脱モードにおけるモード切換位置へ戻ることができる。
【００６３】
図２０（ａ）に示すピン２２ｂの外スライダ１４０に対する位置はモード切換位置であるだけでなくピックアップ昇降台１０の高さのみを変えて再生するＣＤを選択するＣＤ選択位置でもある。つまり、図２０（ａ）の位置から内スライダ１３９のみを後退させれば、一対のピン２２ｂは相対的に床面スリット１４３の中を前進するように見えて実際には鉛直スリット２５の最下位置に保持されるためディスク昇降台２２は最下の再生位置から動くことはないが、他方の一対のピン７７は外スライダ１４０に隠れて見えないが相対的に階段スリット１４１に沿って上昇するように見えて実際には鉛直スリット７８の中を段階的に上昇する。つまり、内スライダ１３９を後退させることにより床面スリット１４３の位置に付された番号１〜６の位置に一対のピン２２ｂを位置させると、一対のピン７７は上下方向に付された番号１〜６の高さまで昇降し、当該番号のＣＤを再生できる状態となる。図２４（ａ）は６番のＣＤを再生できる状態であり、図２０（ｂ）は１番のＣＤを再生できる状態である。
【００６４】
ここでは上記のように２番のＣＤが選択されているので、図２１（ａ）に示すように一対のピン７７が上から２番目の位置まで上昇する。以上の動作で再生するＣＤが再生しうる状態になり、以後の動作は何番のＣＤが選ばれた場合も同じであり、外スライダ１４０の動きと移送用モータ４６の駆動によって動作する。
【００６５】
再生する２番のＣＤが選択された図２１（ａ）の待機状態の後の作用を以下に説明する。図２１（ｂ）の外スライダ１４０上のＤ位置をピン２２ｂが占めるときつまりは図２１（ａ）の状態は待機状態であり、このとき分離カム８２は図２７の位置にあり、外スライダ１４０が前進してピン２２ｂが第一段階としてＥ位置に来ると、分離カム８２が前進して図２６（ａ）のように上から２段目と３段目とのトレイ２のピン２ｋ同士の間へ分離カム８２の背面側の下部先端が入り込み（ピン２ｊについても前面側の下部先端が入り込んで、以下ピン２ｋと同様の作用となる）、上から２段目のトレイ２のピン２ｋが第一分離制御部８２ｃ1を摺動して上段嵌入部８２ｊの上に載り、分離カム８２の上部先端が上から１段目と２段目とのトレイ２のピン２ｋ同士の間へ入り込んで図２８の状態となり、第三段階としてピン２２ｂがＧ位置に来ると、上から１段目のトレイ２のピン２ｋは第二分離制御部８２ｃ2を摺動して分離カム８２の上面８２ｆに載る。このため、第三段階でピン２２ｂがＧ位置にくると、図２９のように上から２番目の選択トレイ２の上と下とに空間が形成される。
【００６６】
ピン２２ｂが図２１（ｂ）のＧ位置まで来たことが図示しないセンサにより検出されると、移送用モータ４６が回転を開始する。上記のように再生モードに切り換わったときに一対のピン２２ｂが床面スリット１４３内に入り込んで回動力供給手段１７のレバー１１３を下方へ押した状態になっているので、図３３（ａ）の状態からレバー１１３がピン１１４を中心として反時計方向へ回動し、プレート１０５が上昇してレバー１１０が軸１０９を中心に時計方向へ回動し、図３３（ｂ）のように歯車１１２が歯車１０３ｈに噛み合いながら歯車１０４とも噛み合う状態に既になっている。従って、移送用モータ４６の回転が駆動軸３０と歯車列１０３とを介してラック１１６ｂを有するスライドバー１１６に伝わり、図３４のようにスライドバー１１６が後退する。するとスライドバー１１６の背面側下部の係合ピン１１６ｃが長孔１３ａに遊嵌されていることから挟持手段１４が前面側へ向かって回動し、図１５（ａ）の位置決めピン１１９が変曲点であるｃ位置を越えると、トグルバネ１２０の付勢力が反対方向へ作用して図１５（ｂ）のように位置決めピン１１９がａ位置まで回動し、図２９に示すように選択されたＣＤ２の上下に上アーム１２，下アーム１３と共にチャックプレート９９，ターンテーブル９７が入り込む。これを平面図で示すと、図３５の状態から図３６の状態になる。挟持手段１４の回動を検出する図示しないリミットスイッチにより移送用モータ４６の回転が止まる。
【００６７】
第四段階としてピン２２ｄが図２１（ｂ）のＨの位置に来るまで外スライダ１４０が前進すると、選択トレイ２のピン２ｋが中段嵌入部８２ｋの中へ降下するため、選択トレイ２及び選択ＣＤが降下して図３０のように選択ＣＤがターンテーブル９７の上に載る。また、これと略同時に外スライダ１４０と共に分離カム８２が前進することによって規制手段１８が動作し、挟持バネ８９の作用によって挟持手段１４の上アーム１２が下動し、選択されたＣＤがターンテーブル９７とチャックプレート９９との間に挟持される。即ち、挟持の作用を詳述すると以下のようになる。ピン２２ｂがＧの位置にあって挟持手段１４が待機位置Ｂを占めるときは図３７のようにガイドピン１２ａはガイド孔１２５の水平部１２５ａに位置し、挟持手段１４が再生位置Ａを占めるときは図３８（ａ）のようにガイドピン１２ａはガイド孔１２５の鉛直部１２５ｂに移動するが、ピン１２７ａは分離カム８２のカム溝８２ｒの逃げ部へは逃げられないためにガイドピン１２ａは拘束レバー１２７の背面側に阻止されて降下できない。次に、ピン２２ｂがＨ位置まで移動すると、分離カム８２も前進するために図３８（ｂ）に示すようにピン１２７ａはカム溝８２ｒの逃げ部へ逃げることが可能になり、バネ１２８で付勢される拘束レバー１２７のピン１２７ａが分離カム８２のカム溝８２ｒの逃げ部へ向かって上動し、拘束レバー１２８の背面側が下がる。このため、図３９のように挟持バネ８９によって付勢されていた上アーム１２が降下して上記のように選択ＣＤ１７１が挟持される。
【００６８】
底板１ｅに立設した支柱９２を把持手段１４の回動中心である中空軸８６に挿通することで挟持手段１４の回動中心は底板１ｅの上で高精度に位置決めされ、かつトグルバネ１２０で位置決めピン１１９をピックアップ昇降台１０に押圧した状態で保持するので、ターンテーブル９７，チャックプレート９９は円周方向の軌跡上で高精度に位置決めされる。一方、ＣＤ１７１が載るトレイ２を案内するガイド支柱２３も支柱９２と同様に底板１ｅ上に立設されているため、ＣＤ１７１も底板１ｅの上で高精度に位置決めされている。従って、再生されるＣＤの中心と、ターンテーブル９７の中心と、チャックプレート９９の中心とが高精度で一致し、ＣＤ１７１の挟持が確実に行われる。
【００６９】
最後の第五段階としてピン２２ｂが図２１（ｂ）のＩ位置に来るまで外スライダ１４０が前進すると、図２６（ａ）のように選択トレイ２のピン２ｋが下段嵌入部８２ｍまで降下し、それまでは選択ＣＤ１７１と接触していた選択トレイ２が図３１のように降下して選択ＣＤ１７１から離れると同時に、図３２のように選択ＣＤ１７１を押さえていた板バネ２ｍの受け部２ｑが分離カム８２の背面側の上段嵌入部８２ｊの下面に押されて押し上げられ選択ＣＤ１７１を開放する。このとき選択トレイ２より下方のトレイ２は分離カム８２の下面８２ｈによって押さえられており、選択トレイ２より上方のトレイ２はコイルバネ２４によって下方へ付勢されているので、車両の振動する影響を受けてトレイ２が振動するのが防止される。
【００７０】
以上のようにして選択ＣＤが挟持手段１４に挟持されたあとは、挟持手段１４が図３６のようにＡ位置に保持された状態でＣＤの再生が行われる。まずスピンドルモータ９６が回転するとターンテーブル９７を介してＣＤが回転する。次にピックアップユニット１６の走査用モータ１６５が回転するとその回転がねじ軸１６４に伝わり、光ピックアップ１６２がねじ軸１６４に沿ってＣＤの半径方向の内側から外側へ向かって移動し、ＣＤの再生が行われる。
【００７１】
ＣＤの再生が行われた後はねじ軸１６４が逆回転して光ピックアップ１６２が元の位置へ戻ると走査用モータ１６５の回転が停止し、スピンドルモータ９６の回転も停止する。その後は上記と逆の手順で外スライダ１４０が後退し、分離カム８２も後退する。そして、図２６（ｂ）に示すようにピン１２７ａがＨ位置からＧ位置へ戻ると、図３８（ｂ）の位置にあった拘束レバー１２７のピン１２７ａが図３８（ａ）のように分離カムの逃げ部から外れて下動し、拘束レバー１２７の背面側が上がる。このため、挟持手段１４から外側へ向かって突出するガイドピン１２ａがガイド孔１２５の鉛直部１２５ｂに沿って押し上げられ、挟持手段１４は回動し得る状態になる。このあとは図示しないセンサがガイドピン１２ａの上動したことを検出し、移送用モータ４６が上記とは逆方向へ回転して挟持手段１４が背面側へ回動する。そして、図１５（ｂ）のｂ位置を占めていた位置決めピン１１９が変曲点であるｃ位置を越えると、トグルバネ１２０の付勢力が反対方向へ作用して図１５（ａ）のように位置決めピン１１９がｂ位置まで回動し、挟持手段１４は待機位置であるＢ位置へ戻る。挟持手段１４の回動を検出する図示しないリミットスイッチにより移送用モータ４６の回転は止まる。挟持手段１４は待機位置Ｂに位置していてもトグルバネ１２０により背面側へ付勢されているので、両車の振動による影響を受けることはない。このあと、外スライダ１４０が後退してピン２２ｂが図２１（ｂ）の待機位置Ｄまで戻ると、分離カム８２も後退して第１〜３番目のトレイ２の全てが降下し、６枚のトレイ２が分離されない図２７の状態に戻る。
【００７２】
上から２番目以外の他のＣＤを再生する場合は、図２１（ａ）の状態から内スライダ１３９を前進又は後退させて図中の内スライダ１３９に付された１，３，４，５，６のいずれかの位置へピン２２ｂを相対的に移動させたのちに、外スライダ１４０をスライドさせて図２１（ｂ）の外スライダ１４０上のＤ〜Ｉの位置をピン２２ｂに順次合わせることにより、上記と同じ動作を繰り返すことができる。
【００７３】
なお、上記実施の形態においては、トレイ２は、一枚の板状に形成されていてディスク１７１の直径方向の全域を支持するものであるが、図４０に示すようにトレイ２は、左右一対のトレイ構成体２ａ，２ｂに分割されていて、これら一対のトレイ構成体２ａ，２ｂでディスク１７１の左右の側部を支持するものであってもよい。また、上記実施の形態はディスクの記録及び／又は再生装置を音声の再生のためのディスクプレーヤに適用した場合について示したが、音声の記録用の装置あるいは記録及び再生用の装置、又は音声に限らず映像の記録及び／又は再生のための装置に適用してもよい。また、トレイの重なる方向が鉛直方向である場合として示したが、トレイの重なる方向を水平方向にすることもできる。更に、ディスクの大きさは１２ｃｍのものを用いるが、８ｃｍ等の他の大きさのものにも適用できる。
【図面の簡単な説明】
【００７４】
【図１】本発明の要部（ディスク保持部材）部分の断面図。
【図２】（ａ）はディスク保持部材の斜視図、（ｂ）はシャッタのディスク保持部材の側面図、（ｃ）は断面図。
【図３】ディスク保持部材の変形例の断面図。
【図４】（ａ）はシャッタの正面図、（ｂ）はシャッタの平面図、（ｃ）は（ａ）のＣ−Ｃ断面図。
【図５】ディスク保持部材の他の変形例の断面図。
【図６】ディスクプレーヤの外観斜視図。
【図７】ディスクプレーヤの分解斜視図。
【図８】（ａ）はディスクプレーヤにおけるディスク収容部の分解斜視図、（ｂ）はトレイの要部の一部を破断して示す斜視図。
【図９】ディスクプレーヤにおけるディスク収容部に係り、（ａ）は平面図、（ｂ）は正面図。
【図１０】ケースの前面側の内部を背面側から見た斜視図。
【図１１】移送手段及び回動力供給手段等の分解斜視図。
【図１２】再生手段の斜視図。
【図１３】挟持手段の要部断面図。
【図１４】ピックアップユニットの平面図。
【図１５】位置決め手段に係り、（ａ）は挟持手段が待機位置に位置決めされた場合の背面図、（ｂ）は再生位置に位置決めされた場合の背面図。
【図１６】操作手段に係り、（ａ）はピックアップ昇降台及びトレイ昇降台の正面図、（ｂ）は内スライダの正面図、（ｃ）は外スライダの正面図。
【図１７】ディスクの挿入，排出を行うための挿脱モード状態であってモード切換位置を示す操作手段の作用説明図。
【図１８】上から２番目のディスクを挿脱する場合に係り、（ａ）は２番目のディスクが選択された待機状態の操作手段の作用説明図、（ｂ）はシャッタが開いた状態の操作手段の作用説明図。
【図１９】上から２番目のディスクを排出する場合における押出レバーが回動した状態の操作手段の作用説明図。
【図２０】ディスクの再生を行うための再生モード状態に係り、（ａ）は上から６番目のディスクを再生する場合の操作手段の作用説明図、（ｂ）は上から１番目のディスクを再生する場合の操作手段の作用説明図。
【図２１】上から２番目のディスクを再生する場合に係り、（ａ）はピンがＤ位置の待機状態にあるときの操作手段の作用説明図、（ｂ）はピンがＩ位置の再生状態にあるときの操作手段の作用説明図。
【図２２】ディスク挿入時のディスクプレーヤに係り、（ａ）は平面図、（ｂ）は正面図。
【図２３】ディスク挿入時のディスクプレーヤの側面断面図。
【図２４】ディスク排出時の押出手段に係り、（ａ）は平面図、（ｂ）は正面図。
【図２５】ディスク排出時の押出手段の側面断面図。
【図２６】分離カムの作用に係り、（ａ）はトレイの動きとの関係を示す作用説明図、（ｂ）はピンとの関係を示す作用説明図。
【図２７】分離カムがトレイの分離を始める前の状態を示す側面図。
【図２８】分離カムにより、トレイが２分離された状態を示す側面図。
【図２９】分離カムにより、トレイが３分離された状態を示す側面図。
【図３０】トレイが３分離された後に再生トレイのみが降下して再生ディスクがターンテーブル上に載り挟持手段に挟持された状態を示す側面図。
【図３１】再生ディスクが挟持手段に挟持された後に再生トレイのみが再び降下して再生ディスクから離れた状態を示す側面図。
【図３２】再生時に再生トレイの板バネが上がって再生ディスクが開放された状態を示す説明図。
【図３３】回動力供給手段に係り（ａ）は回動力が供給されない状態の作用説明図、（ｂ）は供給される状態の作用説明図。
【図３４】回動力が挟持手段に供給されている状態を示す作用説明図。
【図３５】挟持手段が待機位置を占める状態を示す作用説明図。
【図３６】挟持手段が再生位置を占める状態を示す作用説明図。
【図３７】挟持手段が待機位置を占めるときの挟持時期設定手段に係り、（ａ）は作用説明図、（ｂ）は要部の斜視図。
【図３８】挟持手段が再生位置を占めるときの挟持時期設定手段に係り、（ａ）は挟持を阻止している状態を示す作用説明図、（ｂ）は阻止を解除した状態を示す作用説明図。
【図３９】挟持時期設定手段による阻止の解除により挟持手段がディスクを挟持した状態を示す作用説明図。
【図４０】トレイが左右に分割されているタイプのディスク記録及び／又は再生装置を示す斜視図。
【図４１】従来例の斜視図。
【図４２】従来例の断面図。
【符号の説明】
【００７５】
２…トレイ（ディスク受板）、３…ディスク収容部、３０…駆動軸、３１…従動軸、６４…シャッタ、６４ａ…開口部、１７１…ディスク、１８１…フロントパネル、１８２…ディスク挿入口、１９１…ディスク保持部材。
【図１】
2005196848.tif 000003
【図２】
2005196848.tif 000004
【図３】
2005196848.tif 000005
【図４】
2005196848.tif 000006
【図５】
2005196848.tif 000007
【図６】
2005196848.tif 000008
【図７】
2005196848.tif 000009
【図８】
2005196848.tif 000010
【図９】
2005196848.tif 000011
【図１０】
2005196848.tif 000012
【図１１】
2005196848.tif 000013
【図１２】
2005196848.tif 000014
【図１３】
2005196848.tif 000015
【図１４】
2005196848.tif 000016
【図１５】
2005196848.tif 000017
【図１６】
2005196848.tif 000018
【図１７】
2005196848.tif 000019
【図１８】
2005196848.tif 000020
【図１９】
2005196848.tif 000021
【図２０】
2005196848.tif 000022
【図２１】
2005196848.tif 000023
【図２２】
2005196848.tif 000024
【図２３】
2005196848.tif 000025
【図２４】
2005196848.tif 000026
【図２５】
2005196848.tif 000027
【図２６】
2005196848.tif 000028
【図２７】
2005196848.tif 000029
【図２８】
2005196848.tif 000030
【図２９】
2005196848.tif 000031
【図３０】
2005196848.tif 000032
【図３１】
2005196848.tif 000033
【図３２】
2005196848.tif 000034
【図３３】
2005196848.tif 000035
【図３４】
2005196848.tif 000036
【図３５】
2005196848.tif 000037
【図３６】
2005196848.tif 000038
【図３７】
2005196848.tif 000039
【図３８】
2005196848.tif 000040
【図３９】
2005196848.tif 000041
【図４０】
2005196848.tif 000042
【図４１】
2005196848.tif 000043
【図４２】
2005196848.tif 000044